(57)【要約】【課題】ドライバのスタート操作により最初にエンジン始動用モータでエンジンが始動する際に昇圧電源供給手段（昇圧コンバータ）の昇圧動作が正常か否かを確認できなくても、アイドルストップを実施できるようにすることを目的とする。【解決手段】別の車両のバッテリをつないでエンジンを始動するジャンパスタートやエンジン回転数が残った状態でのエンジンの始動により、アイドルストップＥＣＵ４の制御部５が、昇圧コンバータ６の昇圧動作が正常か否かを確認できなければ、その後、傾斜センサ９により検出される路面勾配が所定範囲内で、アイドルストップを実施してもエンジンの再始動時にずり下がりや飛び出しが発生しない平坦路であることを停止条件の１つとして、制御部５により平坦路でアイドルストップを実施する。【選択図】図１
2011247237.tif 000002
【特許請求の範囲】
【請求項１】
エンジン始動用モータに給電するバッテリと、
所定の停止条件の成立によりエンジンを自動停止し、所定の再始動条件の成立により前記エンジン始動用モータを駆動してエンジンを再始動するアイドルストップ制御手段と、
前記再始動を含むエンジンの始動時に前記バッテリの電圧を所定の昇圧電圧に昇圧して供給する昇圧電源供給手段と、
ブレーキ液圧制御バルブを有し、前記エンジンの再始動時には前記昇圧電源供給手段の昇圧出力が給電されて当該車両にブレーキ力を付与するブレーキ力付与手段とを備えたアイドルストップ車の制御装置であって、
路面勾配を検出する路面勾配検出手段と、
前記昇圧電源供給手段の昇圧電圧から前記昇圧電源供給手段の昇圧動作が正常か否かを確認する確認手段とを備え、
前記アイドルストップ制御手段は、
前記確認手段により前記昇圧動作が正常か否かの確認が行なえなかった場合に前記路面勾配検出手段が検出する路面勾配が所定範囲内であることを前記所定の停止条件に含めてエンジンを自動停止することを特徴とするアイドルストップ車の制御装置。
【発明の詳細な説明】
【技術分野】
【０００１】
この発明は、エンジンを駆動源とするアイドルストップ車の制御装置に関し、詳しくは、エンジン再始動時にヒルホールド（ヒルスタートアシストコントロール）機能を作動する昇圧電源供給手段の昇圧動作の確認を考慮したアイドルストップの制御に関する。
【背景技術】
【０００２】
従来、エンジンを駆動源とするアイドルストップ車は、ドライバによるエンジンキーの操作やスタートボタンのプッシュ操作等のスタート操作により最初にエンジン始動用モータ（セルモータ）でエンジンが始動すると、その後は、ブレーキペダルが踏まれている等の所定の停止条件が成立することを条件にエンジンを自動停止し（アイドルストップ）、ブレーキペダルからアクセルペダルに踏み換えられる等の所定の再始動条件が成立することにより自動的にエンジンを再始動することをくり返す。
【０００３】
また、この種のアイドルストップ車は、ヒルホールド（ヒルスタートアシストコントロール）の機能を備え、自動停止したエンジンをエンジン始動用モータで再始動する際、坂道等での車両のずり下がり（上り坂）、飛び出し（下り坂）を防止するため、ブレーキアクチュエータのブレーキ液圧制御バルブにより保持したブレーキ液圧（マスタシリンダ圧）のブレーキ力を当該車両に付与している。
【０００４】
ところで、エンジンの始動時（再始動時を含む）には、車載のバッテリからエンジン始動用モータに大電流の電源が給電されることにより、前記バッテリの電圧（バッテリ電圧）が一時的に例えば１２Ｖの定格電圧から７〜８Ｖまで低下する。バッテリ電圧のこのような急激な低下（電圧落ち）が発生すると、ヒルホールドの機能やカーナビゲーション装置等の車載の一定の機器や装置に不動作やリセットを含む誤動作が発生する可能性があり、ヒルホールドの機能が正常に働かなければ、前記した車両のずり下がりや飛び出しの防止が行なえなくなる。
【０００５】
そこで、この種のアイドルストップ車においては、昇圧電源供給手段として、昇圧コンバータを備え、エンジンの始動時、この昇圧コンバータの昇圧動作により電圧低下したバッテリの出力を設定したねらい値（例えば前記の１２Ｖ）に昇圧し、その昇圧出力の電源を前記のブレーキアクチュエータやカーナビゲーション装置等に給電し、ヒルホールドの機能やカーナビゲーション装置等に誤動作が発生しないようにしている。
【０００６】
さらに、前記の昇圧コンバータが何らかの原因で故障すると、エンジンの再始動時にヒルホールドの機能が正常に働かず、前記した車両のずり下がりや飛び出しの防止が行なえなくなることから、この種のアイドルストップ車の制御装置においては、ドライバのスタート操作で最初にエンジン始動用モータによってエンジンが始動してバッテリ電圧が低下する際に、バッテリ電圧（電源電圧）と昇圧コンバータの昇圧電圧との電圧差から昇圧コンバータの昇圧動作が正常か否かを確認し、昇圧動作が正常に実行できないと判断すると、エンジンの自動停止を禁止してアイドルストップを行なわないようにすることが提案されている（例えば、特許文献１（要約書、特許請求の範囲、段落［００３１］−［００７８］、図１、図２、図３等）参照）。
【先行技術文献】
【特許文献】
【０００７】
【特許文献１】特開２００７−５６７２８号公報
【発明の概要】
【発明が解決しようとする課題】
【０００８】
ドライバのスタート操作で最初にエンジン始動用モータでエンジンが始動してバッテリ電圧が低下する際に、特許文献１に記載されているように、バッテリ電圧（電源電圧）と昇圧コンバータの昇圧電圧との電圧差から昇圧コンバータの昇圧動作が正常か否かを確認するだけでは、いわゆるバッテリ上りが発生して別の車両のバッテリをつないでスタート操作を行なうジャンパスタート時には、バッテリ電圧がほとんど低下せず、昇圧コンバータの昇圧動作が正常か否かを確認できない。また、エンジンの停止操作直後、エンジン回転数が残った状態でスタート操作を行ってエンジンを始動したときにも、バッテリ電圧が低下せず、昇圧コンバータの昇圧動作が正常か否かを確認できない。
【０００９】
そして、昇圧コンバータの昇圧動作が正常か否かを確認できないままアイドルストップを許可して実施すると、昇圧コンバータが故障していれば、例えば登坂発進でのずり下がりが発生する可能性がある。一方、昇圧コンバータの昇圧動作が正常か否かを確認できないときに昇圧コンバータが故障してるとみなしてアイドルストップを禁止すると、アイドルストップによる燃費向上効果を損ねる。
【００１０】
本発明は、この種のアイドルストップ車において、ドライバのスタート操作により最初にエンジン始動用モータでエンジンが始動する際に昇圧電源供給手段（昇圧コンバータ）の昇圧動作が正常か否かを確認できなくても、アイドルストップを実施することを目的とする。
【課題を解決するための手段】
【００１１】
上記した目的を達成するために、本発明のアイドルストップ車の制御装置は、エンジン始動用モータに給電するバッテリと、所定の停止条件の成立によりエンジンを自動停止し、所定の再始動条件の成立により前記エンジン始動用モータを駆動してエンジンを再始動するアイドルストップ制御手段と、前記再始動を含むエンジンの始動時に前記バッテリの電圧を所定の昇圧電圧に昇圧して供給する昇圧電源供給手段と、ブレーキ液圧制御バルブを有し、前記エンジンの再始動時には前記昇圧電源供給手段の昇圧出力が給電されて当該車両にブレーキ力を付与するブレーキ力付与手段とを備えたアイドルストップ車の制御装置であって、路面勾配を検出する路面勾配検出手段と、前記昇圧電源供給手段の昇圧電圧から前記昇圧電源供給手段の昇圧動作が正常か否かを確認する確認手段とを備え、前記アイドルストップ制御手段は、前記確認手段により前記昇圧動作が正常か否かの確認が行なえなかった場合に前記路面勾配検出手段が検出する路面勾配が所定範囲内であることを前記所定の停止条件に含めてエンジンを自動停止することを特徴としている（請求項１）。
【発明の効果】
【００１２】
請求項１の発明の場合、別の車両のバッテリをつないでスタート操作を行なうジャンパスタートやエンジン回転数が残った状態でのスタート操作のエンジンの始動が行なわれ、確認手段により昇圧電源供給手段（昇圧コンバータ）の昇圧動作が正常か否かを確認できなければ、その後、路面勾配検出手段により検出される路面勾配が所定範囲内で、アイドルストップを実施してもエンジンの再始動時に車両のずり下がりや飛び出しが発生しないこと、すなわち、平坦路であることを停止条件に含めて、アイドルストップ制御手段により平坦路でアイドルストップを実施する。
【００１３】
この場合、昇圧電源供給手段（昇圧コンバータ）が故障していたとしても、エンジンの再始動時には車両のずり下がりや飛び出しの発生なくアイドルストップを実施することができ、アイドルストップを実施することにより燃費を向上することができる。また、平坦路でのアイドルストップの自動停止後、所定の再始動条件の成立によりアイドルストップ制御手段がエンジンを再始動すると、このときには、ジャンパスタートやエンジン回転数が残った状態でのスタート操作の影響がなくなっているので、そのときの昇圧電源供給手段の昇圧電圧から、確認手段によって昇圧電源供給手段の昇圧動作が正常か否かを確認できる。
【図面の簡単な説明】
【００１４】
【図１】本発明の一実施形態のブロック図である。
【図２】図１の通常のエンジン始動でのバッテリ電圧、昇圧電圧の変化の説明図である。
【図３】図１のジャンパースタートのエンジン始動でのバッテリ電圧、昇圧電圧の変化の説明図である。
【図４】図１のエンジン回転数が残った状態でのエンジン始動でのバッテリ電圧、昇圧電圧の変化の説明図である。
【図５】図１の動作説明用のフローチャートである。
【発明を実施するための形態】
【００１５】
つぎに、本発明をより詳細に説明するため、一実施形態について、図１〜図５を参照して詳述する。
【００１６】
図１は本発明が適用されるアイドルストップ車１のアイドルストップおよびヒルホールド（ヒルスタートアシストコントロール）に関連する制御装置の構成を示し、２は車載の例えば１２Ｖのバッテリ（鉛バッテリ）であり、負極は車体接地され、陽極はヒューズ３を介して図示省略したエンジン始動用モータ（セルモータ）に接続されている。
【００１７】
４はアイドルストップ車１のアイドルストップＥＣＵ（Ｅｌｅｃｔｒｏｎｉｃ  Ｃｏｎｔｒｏｌ  Ｕｎｉｔ）であり、本発明のアイドルストップ制御手段を形成するマイクロコンピュータ構成の制御部５および、本発明の昇圧電源供給手段を形成する昇圧コンバータ６を有する。
【００１８】
制御部５は、図示省略した車内ネットワーク（ＣＡＮ：ｃｏｎｔｒｏｌｌｅｒ  ａｒｅａ  ｎｅｔｗｏｒｋ）を介してアイドルストップ車１の燃料噴射ＥＣＵ７、プッシュスタートＥＣＵ８等の各種のＥＣＵおよび、本発明の路面勾配検出手段を形成する傾斜センサ９等の各種のセンサに接続され、燃料噴射ＥＣＵ７からのエンジンキーの操作信号または、プッシュスタートＥＣＵ８からのスタートボタン（図示せず）のプッシュ操作信号が、スタート操作信号として入力されることで、ドライバのスタート操作によるエンジンの最初の始動を認識し、後述するように、認識手段の認識結果にしたがってアイドルストップ制御を実施する。また、傾斜センサ９の出力により走行路の路面勾配を検出する。
【００１９】
昇圧コンバータ６は、再始動を含むエンジンの始動時に、バッテリ２の電源がヒューズ３、イグニッションスイッチ１０、ヒューズ１１を介して給電され、制御部５からの駆動信号により動作してバッテリ２の電圧（バッテリ電圧）Ｖａを昇圧し、後述するようにバッテリ電圧Ｖａが例えば７〜８Ｖに低下しても、それを所定の電圧（例えば１２Ｖ）Ｖｂに昇圧して出力する。なお、イグニッションスイッチ１０はエンジンの始動時にオンする。
【００２０】
１２は昇圧コンバータ６の昇圧出力で動作するカーナビゲーション装置であり、バッテリ電圧Ｖａで動作していると、エンジンの始動等によりバッテリ電圧Ｖａが例えば１２Ｖから７〜８Ｖに急激に低下したときにリセット等が発生する車載の機器や装置の代表例であり、昇圧コンバータ６の昇圧出力で動作することにより前記リセット等の発生が防止される。
【００２１】
１３はアイドルストップ車１のブレーキアクチュエータであり、ブレーキＥＣＵ（図示せず）およびブレーキ液圧制御バルブ（図示せず）を有し、バッテリ２の電源がヒューズ３、イグニッションスイッチ１０、ヒューズ１４を介して主電源端子（イグニッション電源端子）ＩＧに給電され、昇圧コンバータ６の昇圧出力が補助電源端子（ＢＳ）に給電され、バッテリ２の電源と昇圧コンバータ６の昇圧出力をオアゲート処理し、両方の電圧Ｖａ、Ｖｂの高い方が動作電源になる。
【００２２】
そして、ブレーキアクチュエータ１３は、ブレーキＥＣＵにより、マスタシリンダ１５のマスタシリンダ圧を圧力センサ１６で検出してブレーキペダルの踏み込みや踏み外し等を認識し、バッテリ電圧Ｖａが低下するエンジンの再始動時には、昇圧コンバータ６の昇圧出力が動作電源として給電されてブレーキ液圧制御バルブによりマスタシリンダ圧を保持してアイドルストップ車１の前輪の左右のホイルシリンダ１７ＦＬ、１７ＦＲおよび後輪の左右のホイルシリンダ１７ＲＲ、１７ＲＬにブレーキ力を付与してヒルホールド（ヒルスタートアシスト）を実施する。なお、本実施形態では上記ブレーキ液圧制御バルブはアイドルストップ時（所定の停止条件の成立）から作動するが、これに限られず、エンジンの再始動時（所定の再始動条件の成立）から作動するようにしてもよい。
【００２３】
ところで、制御部５のソフトウェアにより本発明の確認手段が形成され、この確認手段は、昇圧コンバータ６の昇圧電圧Ｖｂから昇圧コンバータ６の昇圧動作が正常か否かを確認する。具体的には、図１の破線矢印の検出信号線により、昇圧コンバータ６の入力側のバッテリ電圧Ｖａと出力側の昇圧電圧Ｖｂを検出して監視する。そして、バッテリ電圧Ｖａが低下するエンジンの始動時、第１条件（昇圧電圧Ｖｂがねらい値（例えば１２Ｖ）以上である）、第２条件（昇圧電圧Ｖｂと低下したバッテリ電圧Ｖａとの差が一定（例えば５Ｖ）以上である）の両方を満足したときに、昇圧コンバータ６の昇圧動作が正常であることを確認する。また、第１条件を満足しなければ昇圧コンバータ６は昇圧動作が正常でない（故障している）ことを確認する。
【００２４】
図２はドライバのスタート操作によりバッテリ２の電源に基づいて最初にエンジン始動用モータでエンジンが始動する通常の場合のバッテリ電圧Ｖａ、昇圧電圧Ｖｂの時間変化例を示し、（ａ）はエンジン始動用モータのオン期間、（ｂ）はバッテリ電圧Ｖａ、（ｃ）は正常な昇圧電圧Ｖｂである。
【００２５】
そして、図２からも明らかなように、エンジンの始動時、エンジン始動用モータの動作（オン）によってバッテリ電圧Ｖａは、瞬時例えば１２Ｖから７〜８Ｖに低下し、その後、エンジンが始動して回転すると、オルタネータ（図示せず）が発電を開始してバッテリ電圧Ｖａは回復する。一方、昇圧コンバータ６の昇圧電圧Ｖｂは、エンジン始動用モータが動作してバッテリ電圧Ｖａが７〜８Ｖに低下しても、正常な昇圧動作によってバッテリ電圧Ｖａを昇圧したねらい値（１２Ｖ）に維持した電圧に維持される。
【００２６】
そこで、前記確認手段は、基本的には燃料噴射ＥＣＵ７、プッシュスタートＥＣＵ８の操作信号からドライバのスタート操作によるエンジンの最初の始動を認識すると動作し、エンジン始動用モータのオン期間の電圧Ｖａ、Ｖｂが第１、第２条件の両方を満足することから、昇圧コンバータ６の昇圧動作が正常であると確認する。
【００２７】
また、前記したジャンパスタート時や、前記のエンジン回転数が残った状態でエンジンを始動したときには、前記第１条件は満足するが、第２条件を満足しないので、昇圧コンバータ６の昇圧動作が正常であるか否かの認識は行なえない。
【００２８】
図３はジャンパスタート時の場合のバッテリ電圧Ｖａ、昇圧電圧Ｖｂの時間変化例を示し、（ａ）はエンジン始動用モータのオン期間、（ｂ）はバッテリ電圧Ｖａ、（ｃ）は正常な昇圧電圧Ｖｂである。
【００２９】
図３からも明らかなように、例えばバッテリ上りが発生し、バッテリ２に並列に別の車両のバッテリをつないでアイドルストップ車１のスタート操作を行なうジャンパスタート時には、エンジン始動用モータの動作（オン）によってはバッテリ電圧Ｖａはほとんど低下せず、昇圧電圧Ｖｂもねらい値（１２Ｖ）の電圧に維持される。そのため、前記認識手段は、ジャンパスタートによるエンジンの最初の始動の際には昇圧コンバータ６の昇圧動作が正常であるか否かの認識が行なえない。
【００３０】
図４はエンジン回転数が残った状態でのスタート操作によりエンジンを始動したときのバッテリ電圧Ｖａ、昇圧電圧Ｖｂの時間変化例を示し、（ａ）はエンジン始動用モータのオン期間、（ｂ）はバッテリ電圧Ｖａ、（ｃ）は正常な昇圧電圧Ｖｂである。
【００３１】
図４からも明らかなように、例えばエンジンを空ふかししてから停止操作し、そのエンジン回転数が残った状態でスタート操作したような場合、エンジンが始動するまでのエンジン始動用モータのオン期間は短く、その間にはバッテリ電圧Ｖａはほとんど低下せず、昇圧電圧Ｖｂもねらい値（１２Ｖ）の電圧に維持される。そのため、この場合も、前記認識手段は昇圧コンバータ６の昇圧動作が正常であるか否かの認識が行なえない。
【００３２】
そこで、前記認識手段は、ジャンパスタート時や、前記のエンジン回転数が残った状態でのスタート操作によりエンジンを始動したときには、その後の後述する平坦路でのアイドルストップのエンジンの再始動時に、エンジン始動用モータのオン期間の電圧Ｖａ、Ｖｂが前記の第１、第２条件の両方を満足するか否かによって、昇圧コンバータ６の昇圧動作が正常であるか否かを確認する。
【００３３】
つぎに、制御部５のアイドルストップ制御は、基本的には周知のアイドルストップ制御と同様であり、ブレーキペダルが踏まれている、車速が０である等の所定の停止条件の成立により、燃料噴射ＥＣＵ７等を制御してエンジンを自動停止し、ブレーキペダルが踏み込まれなくなる等の所定の再始動条件の成立により、エンジン始動用モータを駆動してエンジンを再始動するが、（１）最初にエンジン始動用モータでエンジンが始動する際に前記確認手段により昇圧コンバータ６の昇圧動作が正常か否かの確認が行なえなかった場合には、その後、傾斜センサ９が検出する路面勾配が所定範囲内（例えば±２％以内）であることを前記所定の停止条件に含めてエンジンを自動停止し、走行路が平坦路である場合にアイドルストップ制御を実施する。（２）平坦路でのアイドルストップ制御により昇圧コンバータ６の昇圧動作が正常であると認識すると、以降は、路面勾配が所定範囲内であることを前記所定の停止条件に含めないようにして坂道等でもアイドルストップの制御を実施する。
【００３４】
図５はアイドルストップの制御を許可するか否かを決定するまでの上記構成に基づく制御部５の制御処理手順を示し、燃料噴射ＥＣＵ７、プッシュスタートＥＣＵ８からの操作信号の入力により、ドライバのスタート操作によるエンジンの最初の始動を認識すると、前記認識手段によるバッテリ電圧Ｖａ、昇圧電圧Ｖｂの監視を開始し（ステップＳ１）、まず、昇圧コンバータ６の昇圧電圧Ｖｂが第１条件を満足するか否かを判定し（ステップＳ２）、昇圧電圧Ｖｂがねらい値以上で第１条件を満足すると、ステップＳ２をＹＥＳで通過してステップＳ３に移行し、第２条件を満足するか否かを判定する。そして、昇圧電圧Ｖｂと低下したバッテリ電圧Ｖａとの差が一定以上で第２条件を満足すると、ステップＳ２をＹＥＳで通過して昇圧コンバータ６が正常であることを確認し、以降はアイドルストップ制御を許可して実施する（ステップＳ４）。
【００３５】
一方、ステップＳ２において昇圧電圧Ｖｂがねらい値より低く、第１条件を満足しなければ、昇圧コンバータ６は昇圧動作が正常でない（故障している）ことを確認し、ステップＳ２をＮＯで通過してステップＳ５に移行し、アイドルストップ制御を禁止する。この場合、アイドルストップ制御が実施されないので、ヒルホールドの制御も実施されず、エンジンの再始動時のずり下がり等は発生しない。なお、昇圧コンバータ６の故障はランプ点灯等でドライバに報知される。
【００３６】
また、ステップＳ２はＹＥＳで通過したが、ステップＳ３がＮＯになって第２条件を満たさず、昇圧コンバータ６の昇圧動作が正常であるか否かを確認できなければ、ステップＳ３からステップＳ６に移行し、エンジンの始動後、アイドルストップの通常の停止条件の成立を待ち、その停止条件が成立すると、ステップＳ６をＹＥＳで通過してステップＳ７に移行する。
【００３７】
そして、昇圧コンバータ６の昇圧動作が正常であるか否かを確認できなければ、路面勾配が所定範囲内であることをアイドルストップの所定の停止条件に含めるため、傾斜センサ９の検出勾配から、アイドルストップ車１の走行路の路面勾配が所定範囲内であるか否か、換言すれば、走行路が平坦路か否かを判定し、平坦路でなければ、ヒルホールドによるアイドルストップ車１のずり下がり等の可能性があるので、ステップＳ７をＮＯで通過してステップＳ８に移行し、今回はアイドルストップの制御を禁止してステップＳ６に戻り、平坦路でのアイドルストップを待つ。
【００３８】
ステップＳ７において、傾斜センサ９の検出勾配から平坦路であると判定すると、ステップＳ７をＹＥＳで通過してステップＳ９に移行し、今回のアイドルストップの制御を許可してステップＳ１０に移行し、アイドルストップ制御手段により、アイドルストップの制御を実施してエンジンを自動停止する。
【００３９】
さらに、ステップＳ１０からステップＳ１１に移行して所定の再始動条件の成立を待ち、所定の再始動条件が成立すると、エンジン始動用モータを駆動してエンジンを再始動する。このとき、ブレーキアクチュエータ１３は、ブレーキＥＣＵによりブレーキペダルの踏み外しを認識してヒルホールドの制御を実施する。
【００４０】
また、制御部５はステップＳ１１をＹＥＳで通過してステップＳ１２に移行し、ステップＳ１２、Ｓ１３により、ステップＳ２、Ｓ３と同様にして、第１、第２条件を満足するか否かを判断し、エンジンの再始動時に昇圧コンバータ６の昇圧動作が正常であるか否かを確認する。このとき、エンジンがジャンパスタートやエンジン回転数が残った状態で始動していたとしても、バッテリ電圧Ｖａ、昇圧電圧Ｖｂはそれらの影響なく時間変化し、第１、第２条件を満足すれば、昇圧コンバータ６の昇圧動作が正常であることを確認してステップＳ１２、Ｓ１３をＹＥＳで通過してステップＳ４に移行し、以降はアイドルストップの制御を許可して実施する。
【００４１】
一方、第１、第２条件を満足しなければ、昇圧コンバータ６の昇圧動作が正常でない（故障）として、ステップＳ１２、Ｓ１３のいずれかをＮＯで通過してステップＳ５に移行し、以降は、ヒルホールドによるアイドルストップ車１のずり下がり等の可能性があるので、アイドルストップの制御を禁止し、ドライバに故障を報知する。
【００４２】
したがって、前記実施形態の場合、別の車両のバッテリをつないでスタート操作を行なうジャンパスタートやエンジン回転数が残った状態でのスタート操作のエンジンの始動が行なわれ、エンジンの最初の始動時に昇圧コンバータ６の昇圧動作が正常であるか否かを確認できなくても、直ちにアイドルストップを禁止するのでなく、エンジンの再始動時にアイドルストップ車１のずり下がりや飛び出しのおそれがない平坦路でアイドルストップを実施することができ、アイドルストップを実施することによって燃費を向上することができる。
【００４３】
また、平坦路でのエンジンの再始動時に昇圧コンバータ６の昇圧動作が正常か否かを確認し、その認識結果に基づいて以降のアイドルストップの実施を許可するか否かを決定することができる。
【００４４】
そして、本発明は上記した実施形態に限定されるものではなく、その趣旨を逸脱しない限りにおいて上述したもの以外に種々の変更を行なうことが可能であり、例えば、バッテリ２の給電路の構成、アイドルストップＥＣＵ４やブレーキアクチュエータ１３の構成および、制御部５の制御手順等は、前記実施形態のものに限るものではない。
【００４５】
また、昇圧電源供給手段としての昇圧コンバータの構成等はどのようであってもよい。
【００４６】
さらに、昇圧電圧Ｖｂのねらい値、昇圧電圧Ｖｂと低下したバッテリ電圧Ｖａとの差は、バッテリ２の電圧等に応じて適当に設定すればよいのは勿論である。
【００４７】
そして、本発明は、種々のアイドルストップ車の制御装置に適用することができる。
【符号の説明】
【００４８】
１    アイドルストップ車
２    バッテリ
４    アイドルストップＥＣＵ
５    制御部
６    昇圧コンバータ
９    傾斜センサ
１３    ブレーキアクチュエータ
【図１】
2011247237.tif 000003
【図２】
2011247237.tif 000004
【図３】
2011247237.tif 000005
【図４】
2011247237.tif 000006
【図５】
2011247237.tif 000007